(57)【特許請求の範囲】
【請求項１】
シンクが、内部空洞の２重壁構造のシンクに形成されており、この空洞部を消音用空洞部とし、ディスポーザーの口がシンクの下壁に接続されると共に、その上方位置においてシンクの上壁に排水兼生ゴミ投入用の開口部が形成されて、ディスポーザーが前記消音空洞部を介してシンクに開放され、ディスポーザーの内部からその口、排水兼生ゴミ投入用開口部を通じて発せられる音の振動が前記消音用空間部で減衰されて消音されるようになされており、かつ、シンクの前記上壁には、前記排水兼生ゴミ投入用開口部を除いて、前記消音用空間部と連通する開口部が設けられていないことを特徴とするディスポーザー設置用キッチン。
【発明の詳細な説明】
【０００１】
【発明の属する技術分野】
本発明は、ディスポーザー設置用キッチン、ディスポーザー付きキッチン及びディスポーザーに関する。
【０００２】
【従来の技術及び課題】
キッチンにおける生ゴミ処理のための設備機器であるディスポーザーが、ゴミの低減やキッチンの衛生に大いに役立つものとして、特に集合住宅を中心として広く普及していく傾向にある。
【０００３】
しかしながら、ディスポーザーは、キッチンのシンクの下の収納空間部内に設置され、シンクの排水口を通じて投入した生ゴミを粉砕して処理するものであるため、生ゴミを粉砕する時に発する騒音が室内や隣戸に伝わってうるさく、そのため、この騒音をいかに小さく抑えるかという解決すべき課題がある。
【０００４】
この課題解決に向けて、従来より、ディスポーザーへの生ゴミ投入部に付ける蓋に改良を加えたり、ディスポーザーを防振支持するようにしたり、ディスポーザーへの給水機構に工夫を加えたり、ディスポーザー本体の構造を改善することなどが行われている。
【０００５】
しかしながら、いずれの方法も、ある程度の効果はみられるものの、必ずしも、満足のいくような騒音防止効果を得られるとは言い難い。特に、ディスポーザーが魚や鶏の骨などの比較的かたいものを粉砕する時に生じる低域の音は、蓋を防音蓋にしたり、給水機構に改良を加えたり、ディスポーザー本体を改良しただけではなかなか抑えられない。また、ディスポーザーの防振支持によって低域の音の伝搬を制御しようとすると、その構造は非常に複雑なものになってしまう。
【０００６】
本発明は、上記のような問題点に鑑み、室内や隣戸へのディスポーザー音の伝搬を、低域の音の伝搬をも含めて、効果的に抑えることができるようにすることを課題とする。
【０００７】
【課題を解決するための手段】
上記の課題は、シンクに消音用の空洞部が設けられ、ディスポーザーが、この空洞部を介してシンクに開放されるようになされていることを特徴とするディスポーザー設置用キッチンによって解決される。また、ディスポーザーとシンクとが、消音用の空洞部を介して接続されているディスポーザー付きキッチンによって解決される。また、生ゴミ投入部に消音用の空洞部が備えられていることを特徴とするディスポーザーによって解決される。
【０００８】
即ち、ディスポーザー内部から発する音は、消音用の空洞部によって減衰されて消音されるので、ディスポーザーからの音がシンク内に放射されてしまうのを抑えることができる。特に、シンクは、一般に平面サイズが大きいから、消音用の空洞部の平面サイズを広くして断面積変化を大きくすることが可能であり、それによって、減衰値を大きくすることができて、ディスポーザーから発する騒音を、骨類などのかたいものを粉砕する時に発する低域の音による騒音をも含めて、効果的に低減することができる。
【０００９】
因みに、図３は、消音機構を原理的に示したものである。ディスポーザー２が消音用空洞部６を介してシンク５に接続されており、消音用空洞部６を挟むシンク５側、ディスポーザー２側の各口の断面サイズとの関係で空洞型消音構造が形成されている。即ち、シンク５側、ディスポーザー２側の各口の断面積をＳ1とし、消音用空洞部６の長さ寸法をＬ、断面積をＳ2とし、音の波長をλとすると、減衰値は理論的に同図に示す式で表される。即ち、消音用空洞部６の断面積Ｓ2を大きくすることで、高い消音効果を得ることが可能となる。
【００１０】
シンクが、内部空洞の２重壁構造のシンクに形成されており、この空洞部を消音用空洞部としている場合は、断面積変化の大きい消音用空洞部をキッチンに対して簡素な構造で備えさせることができる。しかも、シンクそのものが２重壁構造であることにより、シンクが音の伝搬を遮るように作用し、ディスポーザーの騒音が、シンク下の収納空間部から、シンクを通じて室内や隣戸に伝搬していくのも効果的に抑えることができる。
【００１１】
消音用空洞部を下から囲む面が、ディスポーザーに向けて下方に傾斜している場合は、ゴミや水などが消音用空洞部に入ってしまうのを防ぐことができ、消音用空洞部内を清潔に保つことができる。
【００１２】
【発明の実施の形態】
次に、本発明の実施形態を図面に基づいて説明する。
【００１３】
図１に示す第１実施形態において、１はディスポーザー設置用キッチン、２はディスポーザーである。キッチン１は、その背面側を隣戸３との界壁４に沿わせるように設置されており、ディスポーザー２は、キッチン１のシンク５の下方に設けられている収納空間部１３内のスペースを利用して設置されて、シンク５に接続され、生ゴミをシンク５からディスポーザー２内に投入できるようになっている。
【００１４】
上記のキッチン１において、シンク５は、その全体又は略全体が内部空洞の２重壁構造のシンクに形成されており、この空洞部６を消音用空洞部とし、横断面積の非常に大きい消音用空洞部６が備えている。そして、ディスポーザー２の口２ａがシンク５の下壁７に接続され、その上方位置において、シンク５の上壁８には排水兼生ゴミ投入用の開口部９が形成されて、ディスポーザー２が消音用空洞部６を介してシンク５に開放されるようになされ、これにより、空洞型消音構造１０が形成されている。なお、１２は、ゴミが空洞部６内に入り込むのを阻止する筒状のゴミ阻止部材で、例えばパンチングプレートや金網材などからなる。
【００１５】
上記のキッチン１では、ディスポーザー２の内部から発する音の振動は、消音用の空洞部６によって減衰されて消音されるので、ディスポーザー２からの音の振動がシンク５側を通じて室内や隣戸３に放射されてしまうのが、低域の音による騒音をも含めて、効果的に抑えられる。しかも、シンク５を内部空洞の２重壁構造に形成しているから、シンク５がディスポーザー音の伝搬を遮るように作用し、この遮音効果によって、外へのディスポーザー音の伝搬をより一層効果的に抑えることができる。
【００１６】
図２に示す第２実施形態のディスポーザー設置用キッチン１では、消音用空洞部６を下から囲む壁７のディスポーザー周囲の上面１１が、ディスポーザー２の口２ａに向けて下方に傾斜している。この傾斜面１１により、消音用空洞部６内に水分等がたまって不衛生となるのを防ぐことができる。
【００１７】
以上に、本発明の実施形態を示したが、本発明はこれに限られるものではなく、発明思想を逸脱しない範囲で、各種の変更が可能である。例えば、上記の実施形態では、シンク５の全体又は略全体を内部空洞の２重壁構造にした場合を示しているが、ディスポーザー２の接続される部分の周囲のみを局部的に内部空洞の２重壁構造とするようにしてもよい。また、上記の実施形態では、シンクを内部空洞の２重壁構造にして消音用空洞部６を形成した例を示しているが、シンク５から独立させる構造形式においてシンクの下面側に消音用空洞部を設けるようにしてもよい。また、ディスポーザー２の側に消音用空洞部を備えさせて消音機能付きディスポーザーとし、これをシンクに接続するようにしてもよい。また、本発明のディスポーザー設置用キッチン等は、集合住宅に限らず、戸建て住宅のキッチンや、各種厨房に広く用いることができるものであることはいうまでもない。
【００１８】
【発明の効果】
上述の次第で、本発明は、以上のとおりのものであるから、室内や隣戸へのディスポーザー音の伝搬を、低域の音の伝搬をも含めて、効果的に抑えることができる。のみならず、本発明のディスポーザー設置用キッチンでは、キッチン側の改善によって騒音を抑えるものであるため、市販のディスポーザーすべてに対して騒音低減効果を発揮することができる。
【図面の簡単な説明】
【図１】第１実施形態のキッチンを示す側面断面図である。
【図２】第２実施形態のキッチンを示す側面断面図である。
【図３】空洞型消音構造の原理を説明する図である。
【符号の説明】
１…キッチン
２…ディスポーザー
５…シンク
６…消音用空洞部
１１…傾斜面
【図１】
0004369006.tif 000002
【図２】
0004369006.tif 000003
【図３】
0004369006.tif 000004